(57)【要約】【課題】  映像投影テーブルにおいて入力操作を行なう場合に、天板に投影される映像の視認性を維持して、操作性を向上させた映像投影テーブルを提供する。【解決手段】  映像を投写するプロジェクタ６０と、プロジェクタ６０と接続され、アプリケーションソフトを動作させるパソコン７０と、プロジェクタ６０及びパソコン７０を収容する筐体４０と、プロジェクタ６０から投写された映像が投影される天板１０とを有する映像投影テーブル１００であって、天板１０は、映像が投影される投影領域２０と映像が投影されない投影外領域３０とを有し、投影外領域３０に、プロジェクタ６０及びパソコン７０を操作するための操作部としてトラックボール５０を有して構成する。【選択図】      図１
2006162644.tif 000002
【特許請求の範囲】
【請求項１】
映像を投写するプロジェクタと、
前記プロジェクタと接続され、アプリケーションソフトを動作させるコンピュータと、
前記プロジェクタ及び前記コンピュータを収容する筐体と、
前記プロジェクタから投写された映像が投影される天板とを有する映像投影テーブルであって、
前記天板は、前記映像が投影される投影領域と前記映像が投影されない投影外領域とを有し、当該投影外領域に、前記プロジェクタ及び前記コンピュータを操作するための操作部としてトラックボールを有していることを特徴とする映像投影テーブル。
【請求項２】
請求項１に記載の映像投影テーブルであって、
前記トラックボールは、前記天板の下面に設置されていることを特徴とする映像投影テーブル。
【請求項３】
請求項２に記載の映像投影テーブルであって、
前記天板は、前記トラックボールが設置される位置に対向する前記天板の上面の位置に前記トラックボールの位置を示す位置表示部を有していることを特徴とする映像投影テーブル。
【請求項４】
請求項２に記載の映像投影テーブルであって、
前記トラックボールが設置される位置に対向する前記天板の上面の領域は、透明部材で構成されていることを特徴とする映像投影テーブル。
【請求項５】
請求項１に記載の映像投影テーブルであって、
前記天板は、当該天板の上面に前記トラックボールを設置して、当該トラックボールを覆うカバー部材を有していることを特徴とする映像投影テーブル。
【請求項６】
請求項５に記載の映像投影テーブルであって、
前記カバー部材は、前記天板に固着または、ヒンジ部を介して前記天板に開閉自在に固定されていることを特徴とする映像投影テーブル。
【発明の詳細な説明】
【技術分野】
【０００１】
本発明は、プロジェクタから投写される映像を天板に投影する映像投影テーブルに関する。
【背景技術】
【０００２】
従来のプロジェクタを用いた映像投影テーブルは、プロジェクタや、プロジェクタに搭載されたコンピュータや、プロジェクタとは別体で筐体に収容されるパソコンなどを操作する場合、入力装置としてタッチパネルや、キーボードとマウスなどを用いている。そして、マウスを用いる場合は、プロジェクタの投写する映像を投影する天板の面上を移動させて入力操作を行っている。
【０００３】
また、映像投影テーブルとは構成が異なるが、トラックボールをテーブル上に載置して入力操作を行う例として、特許文献１及び特許文献２がある。
【０００４】
【特許文献１】特開２０００−１７４０８６号公報
【特許文献２】特開平７−２３１８１４号公報
【発明の開示】
【発明が解決しようとする課題】
【０００５】
しかしながら、従来の映像投影テーブルでは、マウスを用いてプロジェクタやパソコンの入力操作を行う場合、映像が投影されている天板の面上を、マウスを移動させながら入力操作することになる。よって、天板に投影される映像がマウスの移動により遮られることになり、映像の視認性が低下してしまうという課題がある。
【０００６】
また、ボール式のマウスを用いる場合、天板が強化ガラスで構成されるため、ボールが天板の面上を滑り、適切な回転が阻害されるという課題がある。また、光学式のマウスを用いる場合、プロジェクタの投写する光の影響で適切な検出が阻害されるという課題がある。
【０００７】
また、特許文献１及び特許文献２のように、トラックボールをテーブル上で使用する場合、トラックボールをテーブル上に載置することにより、ボールや押しボタンスイッチなどの可動部分の隙間にゴミや埃がたまり易くなり、トラックボールの操作性や動作性能を低下させるという課題がある。
【０００８】
本発明は、上記課題に鑑みてなされたものであり、入力操作を行なう場合に、天板に投影される映像の視認性を維持して、操作性を向上させた映像投影テーブルを提供することを目的とする。
【課題を解決するための手段】
【０００９】
上述した目的を達成するために、本発明は、映像を投写するプロジェクタと、プロジェクタと接続され、アプリケーションソフトを動作させるコンピュータと、プロジェクタ及びコンピュータを収容する筐体と、プロジェクタから投写された映像が投影される天板とを有する映像投影テーブルであって、天板は、映像が投影される投影領域と映像が投影されない投影外領域とを有し、投影外領域に、プロジェクタ及びコンピュータを操作するための操作部としてトラックボールを有していることを特徴とする。
【００１０】
このような映像投影テーブルによれば、映像投影テーブルは、プロジェクタ、コンピュータ、筐体、天板を有しており、また、天板の投影外領域にトラックボールを有しているため、ユーザ（操作者）は、プロジェクタが投写する映像を投影する天板の投影領域を遮ることなく入力操作を行うことができる。それにより、天板に投影される映像の視認性を維持することができる。また、トラックボールを用いることで、従来のマウスを用いる場合に比較して、天板の材質やマウスの種類（ボール式及び光学式など）に影響されないため、操作性を向上することができる。
【００１１】
上記の本発明に係る映像投影テーブルのトラックボールは、天板の下面に設置されていることが望ましい。
【００１２】
このような映像投影テーブルによれば、トラックボールが天板の下面に設置されるため、トラックボールのボールや押しボタンスイッチなどの可動部分の隙間にゴミや埃が溜まり難くなり、防塵性が向上する。それにより、トラックボールの操作性や動作性能を維持することができる。
【００１３】
上記の本発明に係る映像投影テーブルの天板は、トラックボールが設置される位置に対向する天板の上面の位置にトラックボールの位置を示す位置表示部を有していることが望ましい。
【００１４】
このような映像投影テーブルによれば、トラックボールが天板の下面に設置されても、トラックボールが設置される位置に対向する天板の上面の位置に位置表示部を有しているため、ユーザにトラックボールの位置を認識させることができる。
【００１５】
上記の本発明に係る映像投影テーブルのトラックボールが設置される位置に対向する天板の上面の領域は、透明部材で構成されていることが望ましい。
【００１６】
このような映像投影テーブルによれば、トラックボールが天板の下面に設置されても、トラックボールが設置される位置に対向する天板の上面の領域は、透明部材で構成されるため、ユーザにトラックボールの位置を透明部材を介して認識させることができる。
【００１７】
上記の本発明に係る映像投影テーブルの天板は、天板の上面にトラックボールを設置して、トラックボールを覆うカバー部材を有していることが望ましい。
【００１８】
このような映像投影テーブルによれば、トラックボールを天板の上面に設置する場合には、トラックボールを覆うためのカバー部材を有しているため、トラックボールのボール部分にゴミや埃が溜まり難くなり防塵性が向上する。それにより、トラックボールの操作性や動作性能を維持することができる。
【００１９】
上記の本発明に係る映像投影テーブルのカバー部材は、天板に固着または、ヒンジ部を介して天板に開閉自在に固定されていることが望ましい。
【００２０】
このような映像投影テーブルによれば、トラックボールを覆うためのカバー部材が天板に固着される場合には、カバー部材で囲まれる空間内に手を挿入してトラックボールを操作する。また、ヒンジ部を介して天板に開閉自在に固定される場合には、カバー部材を開いてトラックボールを操作し、トラックボールを使用しない場合は、カバー部材を閉じておくことができる。それにより、トラックボールのボール部分にゴミや埃が溜まり難くなり防塵性が向上することで操作性や動作性能を維持することができる。
【発明を実施するための最良の形態】
【００２１】
以下、本発明の実施形態を図面に基づいて説明する。
（第１実施形態）
【００２２】
図１は、本発明の第１実施形態に係る映像投影テーブルの概略斜視図である。図２は、映像投影テーブルの機能ブロック図である。図３は、映像投影テーブルの概略断面図である。図４は、映像投影テーブルを下方向から見た平面図である。図１〜図４を用いて、映像投影テーブルの構成及び動作を説明する。
【００２３】
図１に示すように、本実施形態の映像投影テーブル１００は、天板１０と筐体４０とで外形を成している。天板１０は、概略方型の平面形状を成し、方型の一辺の概略中央部分を平面方向に突出させて、入力操作用のキーボード５５を載置できるように平面部分３１を備えている。また、筐体４０は、平面方型の箱状の形状を成し、天板１０を水平に保持している。
【００２４】
図２で示すように、映像投影テーブル１００は、プロジェクタ６０とパソコン７０（本願発明のコンピュータ）とパソコン７０及びプロジェクタ６０を操作する操作部としてのキーボード５５及びトラックボール５０とを有して、パソコン７０の映像をプロジェクタ６０から天板１０に投写することで、天板１０にパソコン７０の映像が投影される。
【００２５】
プロジェクタ６０とパソコン７０は接続ケーブル７１（図３に図示）で接続される。パソコン７０とキーボード５５及びトラックボール５０との接続方法として、本実施形態では、近距離無線通信規格であるIEEE802.11a（Institute of Electronic and Electronics Engineers 802.11a）規格を採用している。パソコン７０には、キーボード５５及びトラックボール５０からの電波を受信するための受信機が備えられ、操作信号の通信を行い、パソコン７０の各種アプリケーションソフトの操作や、プロジェクタ６０の各種制御操作を行う。なお、通信方法としては、IEEE802.11a以外に、IEEE802.11b（Institute of Electronic and Electronics Engineers 802.11b）規格や、ブルートゥース（登録商標）や、赤外線通信方式（InfraRed Data Association:IrDA）などの各種近距離無線通信規格を採用することができる。
【００２６】
図３に示すように、筐体４０は、筐体４０内部にプロジェクタ６０及びパソコン７０を所定の位置に収容している。プロジェクタ６０は、パソコン７０の各種アプリケーションソフトによる映像をプロジェクタ６０が備える投写レンズ６１により、プロジェクタ６０の上方に位置する天板１０に投影させることができる。同図中に示す２点鎖線で示す符号６２は、投写される映像の光束の広がりのイメージを示している。
【００２７】
天板１０は、プロジェクタ６０から投写される映像を投影する投影領域２０と映像を投影しない投影外領域３０とを有している。そして、投影領域２０は、透明な強化ガラス２１で構成され、投影外領域３０は、有色のプラスチック３５で構成されている。そして、投影外領域３０を構成するプラスチック３５に投影領域２０を構成する強化ガラス２１を載置する構造で天板１０が構成されている。
【００２８】
また、投影領域２０は、詳細には、強化ガラス２１の下面に透過型スクリーン２５を形成することで構成される。透過型スクリーン２５は、強化ガラス２１の下面に透過型光学シートとして拡散板２６と、拡散板２６の下面にフレネルレンズ２７とを積層して構成されている。フレネルレンズ２７は、プロジェクタ６０から投写され拡散した光束を略平行光に均一化する。拡散板２６は、その均一にした光束を結像する働きを行なうことにより、投写された映像を投影させている。よって、プロジェクタ６０から投写される例えばデューティー比４：３の映像は、天板１０の投影領域２０にデューティー比４：３で拡大投影される。
【００２９】
また、天板１０の投影領域２０（強化ガラス２１）の上面は、外光や周囲光等の反射防止のための反射防止コート等を施して、投影された映像の視認性を向上させている。ユーザは、投影領域２０に結像された投影映像を、投写光の入射方向に対して反対方向から視認することができる。なお、天板１０は、透過型スクリーン２５をユーザの押圧等による撓みから保護する剛性を兼ね備えている。
【００３０】
操作部としてのトラックボール５０は、図１、図３、図４に示すように、天板１０の投影外領域３０で、かつ、天板１０の下面に設置されている。また、トラックボール５０は、ユーザが映像投影テーブル１００に向かって入力操作を行う場合、ユーザの右手側に位置する天板１０のコーナー部に設置されている。
【００３１】
本実施形態のトラックボール５０は、光学式のエンコーダ（図示省略）とベアリング支持機構（図示省略）を組合わせた構成のトラックボール５０を採用している。また、トラックボール５０は回転するボール５１の他、コマンドの割り付けが可能な２つの押しボタンスイッチ５２，５３を有してユニット化され設置されている。なお、トラックボール５０の構成は、光学式以外に、２軸のロータリエンコーダを用いたものなど採用することができる。また、押しボタンスイッチの個数なども適宜増やすことも可能である。
【００３２】
ユーザは、入力操作を行う場合、右手でトラックボール５０を操作して、投影領域２０に投影される映像内のカーソルを移動させながら操作することができる。トラックボール５０は、ボール５１の回転による慣性力を利用できるため、マウスのように、マウスの移動量を利用するのに比べ、投影される映像内のカーソルを迅速に移動させることができる。
【００３３】
図１に示すように、天板１０の下面に設置されるトラックボール５０の位置に対向する天板１０の上面の位置に、トラックボール５０を示すマーク８１を形成している。このマーク８１は、トラックボール５０がマーク８１の下面側に位置していることを示す位置表示部８０としての働きを行う。本実施形態では、丸形状のマーク８１を天板１０の投影外領域３０を構成するプラスチック３５の表面を削り、削った部分に有色の塗料を入れ形成している。ユーザは、マーク８１によりトラックボール５０の位置を認識することができる。なお、マーク８１は、天板１０の投影外領域３０を構成するプラスチック３５の表面に印刷により形成しても良い。
【００３４】
上述した、第１実施形態によれば以下の効果が得られる。
（１）本実施形態の映像投影テーブル１００によれば、プロジェクタ６０やパソコン７０の入力操作を行う操作部としてのトラックボール５０を天板１０の投影外領域３０に設置している。そのため、ユーザは、プロジェクタ６０が投写する映像を投影する天板の投影領域２０を遮ることなくトラックボール５０を用いて、投影する映像内のカーソルを移動させながら入力操作することができる。それにより、天板１０に投影される映像の視認性を維持することができる。また、トラックボール５０を用いることで、従来のマウスを用いる場合に比較して、天板の材質やマウスの種類（ボール式及び光学式など）に影響されないことや、拡大投影される映像内のカーソルを迅速に移動できることなどにより、入力操作性を向上することができる。
【００３５】
（２）本実施形態の映像投影テーブル１００によれば、トラックボール５０を天板１０の投影外領域３０で、天板１０の下面に設置したため、トラックボール５０のボール５１部分や、２つの押しボタンスイッチ５２，５３の隙間にゴミや埃が溜まり難くなり、トラックボール５０の防塵性が向上する。それにより、トラックボール５０の操作性や動作性能を維持することができる。
【００３６】
（３）本実施形態の映像投影テーブル１００によれば、トラックボール５０が設置される天板１０の下面での位置に対向する天板１０の上面の位置にトラックボール５０の位置を示す位置表示部８０として、丸形状のマーク８１を形成している。それにより、トラックボール５０が天板１０の下面に設置されても、ユーザにマーク８１を確認してもらうことでトラックボール５０の位置を認識させることができる。
【００３７】
（第２実施形態）
次に、本発明の第２実施形態を図面に基づいて説明する。
【００３８】
図５は、本発明の第２実施形態に係る映像投影テーブルの別の概略斜視図である。図６は、トラックボールを天板の上面に設置した場合の部分側面図である。図５及び図６を用いて、映像投影テーブルの構成及び動作を説明する。なお、第１実施形態と同様の構成部分には、第１実施形態と同用の記号を付記している。
【００３９】
図５に示すように、第２実施形態では、第１実施形態と異なり、トラックボール５０を天板１０の投影外領域３０で、天板１０の上面のコーナー部にトラックボール５０を設置している。また、トラックボール５０全体を覆う形状で、カバー部材９０が備えられている。
【００４０】
図５及び図６に示すように、カバー部材９０は、透明なプラスチック材料から成り、一様な厚さを持った概略ドーム形状を成している。また、ドーム形状の一部をカットして指でカバー部材９０を引掛けるための引掛け部９１を形成している。そして、カバー部材９０は、天板１０の上面に設置する凸状で中心に貫通孔３２を形成した一対のカバー受部３３に対して、貫通孔３２に嵌合する一対の円柱状の軸部９３を形成している。
【００４１】
天板１０に設置したカバー受部３３とカバー部材９０に形成した軸部９３とによりヒンジ部９５が構成され、カバー部材９０は軸部９３により開閉自在に軸支される。
【００４２】
ユーザが、トラックボール５０を使用する場合、カバー部材９０に形成した引掛け部９１に指を挿入してカバー部材９０を開き（図６の矢印で示すＡの状態）トラックボール５０を操作する。また、トラックボール５０の使用終了後は、カバー部材９０を閉じた状態（図６の矢印で示すＢの状態）にする。
【００４３】
図７は、カバー部材が天板に固着された場合の概略の拡大斜視図である。図７を用いて、カバー部材９６が天板１０に固着された場合の構造を説明する。
【００４４】
図７に示す、カバー部材９６は、カバー部材９０と同様に、透明なプラスチック材料から成り、一様な厚さを持った概略ドーム形状を成して、トラックボール５０全体を覆っている。また、カバー部材９６で囲まれる空間に手を入れて、トラックボール５０を操作できるだけの空間を確保した大きのドーム形状を成している。そして、カバー部材９６で囲まれる空間に手を入れることが可能な開口部９７を形成している。このように形成されたカバー部材９６は、天板１０に接着剤で固着される。
【００４５】
ユーザが、トラックボール５０を使用する場合、カバー部材９６に形成した開口部９７から手を挿入して、カバー部材９６で囲まれる空間内でトラックボール５０を操作することができる。
【００４６】
上述した、第２実施形態によれば、前記第１実施形態における効果（１）が同様に得られる他、以下の効果が得られる。
【００４７】
（１）トラックボール５０を天板１０の上面に設置する場合、トラックボール５０全体を覆うカバー部材９０，９６を設置したため、トラックボール５０のボール５１部分や、２つの押しボタンスイッチ５２，５３の隙間にゴミや埃が溜まり難くなり、トラックボール５０の防塵性が向上する。それにより、トラックボール５０の操作性や動作性能を維持することができる。
【００４８】
（第３実施形態）
次に、本発明の第３実施形態を図面に基づいて説明する。
【００４９】
図８は、本発明の第３実施形態に係る映像投影テーブルのトラックボール部分の概略拡大図であり、図８（ａ）は、斜視図であり、図８（ｂ）は、断面図である。図８を用いて、映像投影テーブルの構成及び動作を説明する。なお、第１実施形態と同様の構成部分には、第１実施形態と同用の記号を付記している。
【００５０】
図８（ａ）、（ｂ）に示すように、第３実施形態は、第１実施形態と同様にトラックボール５０を天板１０の下側に設置している。また、第１実施形態では、トラックボール５０を設置した下面に対向する上面に、トラックボール５０の位置を示す位置表示部８０としてマーク８１を形成している。異なる部分は、第３実施形態では、トラックボール５０を設置した下面に対向する上面の領域に透明部材１１０として、方型の透明な位置表示板１１１を天板１０上面と面高さが一致するように嵌め込まれて固定されていることである。位置表示板１１１は本実施形態では、透明な強化ガラスを用いている。なお、透明部材１１０としては、強化ガラスの他、プラスチック材料など使用することができる。
【００５１】
上述した、第３実施形態の構成により、トラックボール５０は位置表示板１１１の下面側に位置することになり、設置されるトラックボール５０を位置表示板１１１を介して視認することができるため、簡単にトラックボール５０の位置をユーザに示すことが可能となる。
【００５２】
なお、本発明は、上述した実施形態に限定されず、種々の変更や改良など加えることが可能である。変形例を以下に述べる。
【００５３】
（変形例１）前記第１実施形態において、天板１０の下面に設置されるトラックボール５０の位置にを示す位置表示部８０として、対向する天板１０の上面の位置にマーク８１を形成している。しかし、これに限らず、マーク８１に替えてトラックボール５０の位置を指示する図柄や文字が印刷されたシールを貼り付けることでも良い。ユーザは、シールによりトラックボール５０の位置を認識することができる。
【００５４】
（変形例２）前記第２実施形態において、カバー部材９０，９６は、透明なプラスチック材料から成り、一様な厚さを持った概略ドーム形状を成し、カバー部材９０はヒンジ部９５により開閉自在に形成され、また、カバー部材９６は固着されている。しかし、これに限られず、適宜材料や形状を変更することができるし、構造も変更できる。例えば、カバー部材の構造として、天板１０の内部にトラックボール５０を設置し、カバー部材となる蓋が、天板１０の上面と概略平行に、スライド方式で開閉自在となる構成であっても良い。
【００５５】
（変形例３）前記実施形態では、一人のユーザがトラックボール５０を使用することを基本に述べたが、これに限られず、映像投影テーブル１００に対面して２人のユーザが操作することや、映像投影テーブル１００の天板１０の４辺に位置する４人のユーザが操作することでも良い。その場合は、キーボード５５を載置する平面部分３１部を天板１０の各辺に設け、トラックボール５０を天板１０の各コーナー部に実施形態と同様に設置することで対応することができる。
【００５６】
その場合、どのユーザが操作するかを決めるための手段、例えば、キーボード５５またはトラックボール５０の押しボタンスイッチ５２，５３を操作することによりユーザを決めるためのアプリケーションソフトをパソコン内部に持つ方法などが考えられる。また、そのアプリケーションソフトには、決めたユーザが、映像を正常な向きで視認できるように、プロジェクタ６０が投写する映像の向きを切替えるための指示を出すことを含める必要がある。そして、その信号に基づいて、例えば、９０度毎に画像の向きを切替える処理を行う画像処理部及び制御部をプロジェクタ６０内部に持つことが必要となる。これらの構成や動作により実現することが可能になる。
【００５７】
（変形例４）前記実施形態では、投影外領域３０はプラスチック３５で構成されているが、投影外領域３０を構成する材料は、各種の材料を使用することが可能である。例えば、プラスチック３５に替えて木材などを主材料として構成しても良い。これにより、天板１０に高級感を持たせることが可能となる。
【００５８】
（変形例５）前記実施形態における映像投影テーブル１００は、投影領域２０に透明な強化ガラス２１を用い、また、投影外領域３０にプラスチック３５を用いた２体で天板１０を構成している。しかし、投影領域２０に用いる強化ガラス２１を投影外領域３０にも用いて、１体で天板１０を構成しても良い。これにより、天板１０が投影領域２０と投影外領域３０との境界部分で隙間や段差などをなくすことができ、隙間へのゴミの進入や、入力操作中におけるユーザの衣服の引っ掛りなどを防止することができるため、映像投影テーブル１００の利便性が向上する。
【００５９】
また、前記変形例５によれば、天板１０の投影外領域３０の部分に対応する強化ガラス２１の下面に印刷を行うことにより、投影外領域３０の強化ガラス２１の下面側に構成する例えば天板１０と筐体４０との固定部分などの部材を隠すことができる。また、印刷を行う場合に、天板１０の下面に設置されるトラックボール５０との相対する領域部分は印刷を行わない領域とすることにより、天板１０の印刷を行わない領域を介してトラックボール５０の位置をユーザに認識させることができる。
【００６０】
（変形例６）前記実施形態における映像投影テーブル１００は、筐体４０内部に、プロジェクタ６０及びパソコン７０を接続ケーブル７１により接続して構成されている。しかし、これに限らず、プロジェクタ６０内部にパソコン７０の機能を搭載しても良い。
【００６１】
（変形例７）前記実施形態におけるプロジェクタ６０は、透過型液晶方式のプロジェクタを採用している。しかし、これに限らず、ＤＬＰ（登録商標）（Digital Light Processing）方式、および、反射型液晶方式であるＬＣＯＳ（Liquid Crystal On Silicon）方式などを採用したプロジェクタも採用することが可能である。
【図面の簡単な説明】
【００６２】
【図１】本発明の第１実施形態に係る映像投影テーブルの概略斜視図である。
【図２】映像投影テーブルの機能ブロック図である。
【図３】映像投影テーブルの概略断面図である。
【図４】映像投影テーブルを下方向から見た平面図である。
【図５】本発明の第２実施形態に係る映像投影テーブルの別の概略斜視図である。
【図６】トラックボールを天板の上面に設置した場合の部分側面図である。
【図７】カバー部材が天板に固着された場合の概略の拡大斜視図である。
【図８】本発明の第３実施形態に係る映像投影テーブルのトラックボール部分の概略拡大図であり、（ａ）は、斜視図であり、（ｂ）は、断面図である。
【符号の説明】
【００６３】
１０…天板、２０…投影領域、２１…強化ガラス、２５…透過型スクリーン、２６…拡散板、２７…フレネルレンズ、３０…投影外領域、３１…平面部分、３２…貫通孔、３３…カバー受部、３５…プラスチック、４０…筐体、５０…トラックボール、５１…ボール、５２，５３…押しボタンスイッチ、５５…キーボード、６０…プロジェクタ、７０…パソコン、８０…位置表示部、８１…マーク、９０…カバー部材、９１…引掛け部、９３…軸部、９５…ヒンジ部、９６…カバー部材、９７…開口部、１００…映像投影テーブル、１１０…透明部材、１１１…位置表示板。
【図１】
2006162644.tif 000003
【図２】
2006162644.tif 000004
【図３】
2006162644.tif 000005
【図４】
2006162644.tif 000006
【図５】
2006162644.tif 000007
【図６】
2006162644.tif 000008
【図７】
2006162644.tif 000009
【図８】
2006162644.tif 000010